(57)【要約】      （修正有）【課題】片面粘着テープを貼付した際に、片面粘着テープの縁辺どこからでも剥がしやすく、かつカットしやすい片面粘着テープを消費者に提供する。【解決手段】縁辺２２及び短辺２１を有する基材２と、基材２の片面に粘着材３が塗布され、粘着面１２及び粘着面１２と対向する面に非粘着面１１を有する片面粘着テープ１であって、縁辺２２から所定の距離離間した位置に、複数の平行した切り込み部４が形成されており、複数の切り込み部４のそれぞれの中心を通る直線Ｌ上で折り曲げられるよう構成されている片面粘着テープ。【選択図】図１
2014077026.tif 000002
【特許請求の範囲】
【請求項１】
縁辺及び短辺を有する基材と、前記基材の片面に粘着材が塗布され、粘着面及び前記粘着面と対向する面に非粘着面を有する片面粘着テープであって、
前記縁辺から所定の距離離間した位置に、複数の平行した切り込み部が形成されており、
前記複数の切り込み部のそれぞれの中心を通る直線上で折り曲げられるよう構成されていることを特徴とする片面粘着テープ。
【請求項２】
前記複数の切り込み部は等間隔に形成されていることを特徴とする請求項１に記載の片面粘着テープ。
【請求項３】
前記切り込み部は前記縁辺に垂直であることを特徴とする請求項１に記載の片面粘着テープ。
【請求項４】
前記切り込み部は前記基材から前記粘着面まで貫通していることを特徴とする請求項１に記載の片面粘着テープ。
【請求項５】
前記切り込み部は前記基材を貫通していない非貫通溝であることを特徴とする請求項１に記載の片面粘着テープ。
【請求項６】
前記切り込み部の中心は非貫通であることを特徴とする請求項１に記載の片面粘着テープ。
【請求項７】
請求項１から６のいずれかに記載の片面粘着テープをロール状に巻いた片面粘着テープ巻回体。
【請求項８】
請求項７に記載の片面粘着テープ巻回体を支持するテープ支持部と、
前記切り込み部が形成されている前記縁辺側を、前記粘着面を内側として折り曲げ、折り曲げ部を形成する折り曲げ手段と、
前記折り曲げ部の前記粘着材同士を貼りあわせ、前記粘着面側に非粘着部を形成する非粘着部形成手段と、
を有するテープ引き出し装置であって、
前記折り曲げ部の幅は、前記切り込み部の長さの半分であることを特徴とするテープ引き出し装置。
【請求項９】
前記テープ支持部と前記折り曲げ手段との間に設けられ、前記折り曲げ部の幅を調節する幅調節手段を有することを特徴とする請求項８に記載のテープ引き出し装置。
【請求項１０】
片面粘着テープを切断する切断手段を有することを特徴とする請求項８に記載のテープ引き出し装置。
【発明の詳細な説明】
【技術分野】
【０００１】
本発明は、片面のみに粘着材を塗布した片面粘着テープ、この片面粘着テープを巻回した片面粘着テープ巻回体及びこの片面粘着テープ巻回体を使用するテープ引き出し装置に関し、さらに詳しくは、貼付後に剥がしやすく、どこからでも切り取ることが可能な片面粘着テープ、この片面粘着テープを巻回した片面粘着テープ巻回体及びこの片面粘着テープ巻回体を使用するテープ引き出し装置に関する。
【背景技術】
【０００２】
片面粘着テープは、片面側全面に粘着材が塗布されているため、片面粘着テープを貼付すると粘着テープ全面が貼りつく。粘着テープの全面が貼りつくため、片面粘着テープの粘着性能は高いが、貼付後に粘着テープを剥がそうとすると、その外周部を爪などの鋭利なもので引き起こし、引き起こされた箇所を掴んで剥がすか、はさみやカッターなどの切断器具を用いて切断するなど、かなり手間がかかってしまう。
【０００３】
例えば、デパート、スーパーマーケット、商店及びコンビニエンスストアでは毎日大量の商品や食品が粘着テープにより梱包、包装され、輸送、販売されている。これらの商品や食品の利用時には粘着テープが剥がす必要がある。その場合、常に上述した剥がし難さに直面し、剥がすのに手間取っていた。また、一般の企業、工場、官公庁、学校等においても、郵便物や、宅配便の輸送梱包に片面粘着テープが大量に使用されており、それらもほとんど開封時に剥がされている。そのため、テープの先端部のみを二重重ねにして剥がしやすくする方法が用いられていたが、この方法も、剥がしやすい箇所がテープの先端部にしかないため、剥がしやすい箇所が明確に分からず、その位置を探すのに手間取ったり、また、折り返し分だけテープを長く使うため不経済である等の欠点を有していた。
【０００４】
また、下記特許文献１にも示されているように、手や道具を使って側端部を折り返すことが考えられているが、それらもただ単に部分的に折返すだけで、人が剥がすときの必要な機能性に関しては全く考慮されておらず、剥がす位置の発見や手掛かりの十分な寸法等の剥がしやすさの追及はなされておらず、安定した使いやすさが得られるものとなっていなかった。
【０００５】
上記のような問題点を解決した粘着テープは様々開発されている。下記特許文献２に記載された発明は、可撓性を有する基材の一つの面に粘着剤を付着させ、リール状に巻き込んだ粘着テープであって、粘着テープの一方の側端が粘着面側に折りこまれて把持機能部を有するように形成されているものである。
【先行技術文献】
【特許文献】
【０００６】
【特許文献１】特開２００１−０５８７５５号公報
【特許文献２】特開２００３−２２１５６５号公報
【発明の概要】
【発明が解決しようとする課題】
【０００７】
上記特許文献２に記載されている発明によれば、迅速かつ容易に剥がすことのできる粘着テープを提供することができる。しかしながら、貼付した粘着テープ全体を剥がすことはできるが、任意の位置で手で切り取ることは難しい。また、貼付したテープの一部のみ剥がしたい場合には、はさみやカッターなどの切断器具を用いないと剥がし難いという問題点があった。
【０００８】
本発明は、上述のような従来技術の問題点を解決すべく完成されたものであって、片面粘着テープを貼付した際に、片面粘着テープの縁辺どこからでも剥がしやすく、かつカットしやすい片面粘着テープを消費者に提供することを目的とする。
【課題を解決するための手段】
【０００９】
本発明の第１の態様の片面粘着テープは、縁辺及び短辺を有する基材と、前記基材の片面に粘着材が塗布され、粘着面及び前記粘着面と対向する面に非粘着面を有する片面粘着テープであって、前記縁辺から所定の距離離間した位置に、複数の平行した切り込み部が形成されており、前記複数の切り込み部のそれぞれの中心を通る直線上で折り曲げられるよう構成されていることを特徴とする。
【００１０】
本発明の第１の態様の片面粘着テープによれば、縁辺から所定の距離離間して切り込み部が形成されているため、粘着面側に非粘着部を形成するように縁辺から折り曲げる際に縁辺がばらけることなく、容易に非粘着部を形成することができる。このため、片面粘着テープを剥がす際に、非粘着部を掴むことで手で容易に剥がすことができる。また、切り込み部が形成されているため、貼付されたテープの端からだけでなく、切り込み部の入った箇所ならどこからでも手で容易に片面粘着テープを剥がすことができる。
【００１１】
また、本発明の第２の態様は、第１の態様の片面粘着テープにおいて、前記切り込み部は等間隔に形成されていることを特徴とする。
【００１２】
本発明の第２の態様によれば、上記片面粘着テープを作製する際に、歯車など等間隔に凸部を有する部材を用いて、用意に切り込み部を形成することができる。
【００１３】
また、本発明の第３の態様は、第１の態様の片面粘着テープにおいて、前記切り込み部は前記縁辺に垂直であることを特徴とする。
【００１４】
片面粘着テープは、カットしやすいよう、短辺方向に軸を持つ部材、例えば一軸延伸フィルムなどが基材として用いられることが多い。本発明の第３の態様によれば、切り込み部の方向と基材の軸の方向が同じ方向となり、片面粘着テープのカットがさらに容易となる。
【００１５】
また、本発明の第４の態様は、第１の態様の片面粘着テープにおいて、前前記切り込み部は前記基材から前記粘着面まで貫通していることを特徴とする。
【００１６】
本発明の第４の態様によれば、切り込み部が貫通しているため、力をかけずに容易に片面粘着テープをカットできるようになる。
【００１７】
また、本発明の第５の態様は、第１の態様の片面粘着テープにおいて、前記切り込み部は前記基材を貫通していない非貫通溝であることを特徴とする。
【００１８】
本発明の第５の態様によれば、切り込み部にある程度の力をかけない限り切り込み部が切れることがなくなる。このため、片面粘着テープを剥がす際に、力をかけるつもりのなかった切り込み部から片面粘着テープが裂けてしまうことがなくなり、貼付されている片面粘着テープ全体を、手で容易に剥がすことができるようになる。
【００１９】
また、本発明の第６の片面粘着テープ巻回体は、第１から第５の態様のいずれかの片面粘着テープをロール状に巻いたものであることを特徴とする。
【００２０】
本発明の第６の態様によれば、貼付した際に、片面粘着テープの縁辺どこからでも剥がしやすく、かつカットしやすい片面粘着テープ巻回体を提供することができる。
【００２１】
また、本発明の第７のテープ引き出し装置は、第６の態様の片面粘着テープ巻回体を支持するテープ支持部と、前記切り込み部が形成されている前記縁辺側を、前記粘着面を内側として折り曲げ、折り曲げ部を形成する折り曲げ手段と、前記折り曲げ部の前記粘着材同士を貼りあわせ、前記粘着面側に非粘着部を形成する非粘着部形成手段と、を有するテープ引き出し装置であって、前記折り曲げ部の幅は、前記切り込み部の長さの半分であることを特徴とする。
【００２２】
本発明の第７の態様によれば、片面粘着テープの切り込み部を有する縁辺を、切り込み部全体が重ね合わせられるように折り曲げられることができるテープ引き出し装置を提供することができる。
【００２３】
また、本発明の第８のテープ引き出し装置は、第７の態様のテープ引き出し装置において、前記テープ支持部と前記折り曲げ手段との間に設けられ、前記折り曲げ部の幅を調節する幅調節手段を有することを特徴とする。
【００２４】
本発明の第８の態様によれば、切り込み部の長さの異なる片面粘着テープを用いた場合でも、折り曲げ部の幅を調節することで切り込み部全体を重ね合わせることができるようになる。
【００２５】
また、本発明の第９のテープ引き出し装置は、第７の態様のテープ引き出し装置において、片面粘着テープを切断する切断手段を有することを特徴とする。
【００２６】
本発明の第９の態様によれば、片面粘着テープを切り込み部の設けられていない縁辺側からでも切断することができるようになる。また、切り込み部が設けられている縁辺側でも、手で切断する場合よりも弱い力でテープを切断することができるようになる。
【図面の簡単な説明】
【００２７】
【図１】図１Ａは本発明の第１実施形態に係る片面粘着テープの展開図、図１Ｂは本発明の第１実施形態に係る片面粘着テープの概略平面図、図１Ｃは図１ＢにおけるＩＣ−ＩＣ線での断面図、図１Ｄは図１ＢにおけるＩＤ−ＩＤ線での断面図である。
【図２】図２は片面粘着テープを製造する製造装置の概略斜視図である。
【図３】図３は片面粘着テープ巻回体の概略斜視図である。
【図４】本実施形態に係る片面粘着テープ巻回体を貼付する際に使用されるテープ引き出し装置の概略斜視図である。
【図５】本実施形態に係る片面粘着テープ巻回体を貼付する際に使用されるテープ引き出し装置の概略側面図である。
【図６】図６Ａは本発明の第２実施形態に係る片面粘着テープの展開図、図６Ｂは本発明の第２実施形態に係る片面粘着テープの概略平面図、図６Ｃは図６ＢにおけるVIＣ−VIＣ線での断面図、図６Ｄは図６ＢにおけるVIＤ−VIＤ線での断面図である。
【図７】図７Ａは本発明の第３実施形態に係る片面粘着テープの展開図、図７Ｂは本発明の第３実施形態に係る片面粘着テープの概略平面図である。
【図８】図８Ａは本発明の第４実施形態に係る片面粘着テープの展開図、図８Ｂは本発明の第４実施形態に係る片面粘着テープの概略平面図、図８Ｃは図８ＢにおけるVIIIＣ−VIIIＣ線での断面図である。
【発明を実施するための形態】
【００２８】
以下、図面を参照して、本発明を実施するための形態を説明する。但し、以下に示す実施形態は、本発明の技術思想を具体化するための片面粘着テープを例示するものであって、本発明をこれらに特定することを意図するものではなく、特許請求の範囲に含まれるその他の実施形態のものにも均しく適応し得るものである。
【００２９】
[第１実施形態]
図１を参照して、本発明の第１実施形態に係る片面粘着テープを説明する。なお、図１Ａは本発明の第１実施形態に係る片面粘着テープの展開図、図１Ｂは本発明の第１実施形態に係る片面粘着テープの概略平面図、図１Ｃは図１ＢにおけるＩＣ−ＩＣ線での断面図、図１Ｄは図１ＢにおけるＩＤ−ＩＤ線での断面図である。
【００３０】
本実施形態における片面粘着テープ１は、基材２と、粘着材３と、で構成されている。基材２は所定の厚さを有し、切断される方向と平行な短辺２１と、片面粘着テープ１を引き出す方向と平行な縁辺２２とを有する帯状である。短辺２１の幅は２０ｍｍである。短辺１２の幅はこれに限るものではなく、１５ｍｍ以上であれば問題なく、使用時に必要な幅を選択して作製すればよい。
【００３１】
基材２として用いられる部材は、可撓性を有する布、セロファン、紙、樹脂製フィルム、自然分解性を有する有機物または無機物のフィルム、ゴム、不織布、ガーゼ、金属性フィルム、木材製フィルム等、可撓性で帯状のものであればよい。本実施形態では短辺方向にカットしやすいよう、短辺方向に軸を有する一軸延伸フィルムである樹脂製フィルムを用いている。
【００３２】
粘着材３は基材２の片面の全面に塗布されており、片面粘着テープ１には、非粘着面１１と、粘着面１２とが形成されている。本実施形態では、粘着材としてスチレンブタジエンゴム（ＳＢＲ）を用いているが、粘着性能があればどのような部材を用いてもよく、天然ゴム、ブチルゴム等のゴム系の粘着材や、アクリル系の合成粘着材等を用いてもよい。
【００３３】
片面粘着テープ１の一方の縁辺２２には、短辺２１と平行であり、非粘着面１１から粘着面１２まで貫通している切り込み部４が２ｍｍ間隔で等間隔に設けられている。切り込み部４は縁辺２２まで到達しておらず、縁辺２２から０．５ｍｍ離れて設けられている。この間隔は片面粘着テープ１の短辺の長さによって適宜定めてよく、本実施形態の片面粘着テープよりも短辺の長さが長い片面粘着テープの場合、０．５ｍｍよりも大きく間隔をとってもよい。この間隔は、０．５ｍｍ〜３ｍｍであれば好ましい。このため、片面粘着テープ１に非粘着部１３を形成するために縁辺２２が折り曲げられる際に、縁辺２２がばらけてしまうことがなく、容易に非粘着部１３を形成することができる。
【００３４】
この切り込み部４を設けることで、本実施形態の片面粘着テープ１を貼付した後に剥がす際、どこからでも容易に手でカットできるようになる。また、貼付する際も、はさみやカッターなどの切断器具を用いずとも、容易に手でカットすることができる。切り込み部４を設ける間隔が広くなりすぎてしまうと、カットできる箇所が狭くなってしまい、間隔を狭くしすぎると、片面粘着テープ１の縁辺がばらけやすくなり、片面粘着テープ１の耐久性が落ちてしまう。このため、切り込み部４を設ける間隔は１ｍｍ〜３ｍｍであることが好ましい。
【００３５】
また、本実施形態では切り込み部４を等間隔に設けているが、必ずしも切り込み部４を等間隔にする必要はなく、切り込み部４ごとの間隔がそれぞれ１ｍｍ〜３ｍｍの幅であれば等間隔である必要はない。また、切り込み部４を短辺２１と平行となるように設けているが、必ずしも短辺２１と平行である必要はない。例えば切り込み部４と縁辺２２とのなす角度を４５度や６０度としてもよい。本実施形態では、基材２に短辺方向に軸を有する一軸延伸フィルムを用いているため、切り込み部４が設けられている箇所は斜めに切断されるが、他の部分は基材２の軸に沿って、短辺２１に略平行な方向に切断されることになる。
【００３６】
片面粘着テープ１は、切り込み部４の中心を通る線Ｌにおいて、非粘着面１１側が外側となるように山折りされており、粘着面１２側に、非粘着部１３が形成されている。粘着面１２側に非粘着部１３が形成されることで、本実施形態の片面粘着テープ１を貼付した後に剥がす際、どこからでも容易に手で剥がし始めることができる。また、手で掴む箇所に粘着材３が塗布されていないので、手を汚さずに片面粘着テープ１を剥がすことができる。
【００３７】
次に、図２、図３を参照して、本実施形態の片面粘着テープの製造方法を説明する。なお、図２は片面粘着テープを製造する製造装置の概略斜視図、図３は片面粘着テープ巻回体の概略斜視図である。
【００３８】
製造装置５は、図３に示すように、片面粘着テープ１を形成する粘着面形成装置５１と、片面粘着テープ１に切り込み部４を形成する切り込み部形成装置５２と、片面粘着テープ１を所定の幅へと切断する切断装置５３と、を備えている。粘着面形成装置５１は、基材２の片面に粘着材３を塗布し、片面粘着テープへと処理を行う装置となっている。粘着材３の塗布方法はドクターブレード法などの公知の方法が用いられており、その説明は省略する。
【００３９】
切り込み部形成装置５２は、外周囲に所定間隔をあけて複数本の切り込み部形成歯５２１が配設された円板状の押圧ロール５２Ａと、この押圧ロールとの間で片面粘着テープ１を挟み込む受けロール５２Ｂとを有している。押圧ロール５２Ａは所定の直径、肉厚及び硬度を有する金属性の円板状の歯車で形成されており、軸５２ａを中心に回転し、切り込み部４を形成しながら片面粘着テープ１をＸ方向へ送り出す。複数本の切り込み部形成歯５２１は、所定ピッチ及び高さを有する略鋸歯状の歯となっている。この切り込み部形成歯５２１は、片面粘着テープ１に設ける切り込み部４と同じ間隔、本実施形態では２ｍｍの間隔で配設されている。
【００４０】
切断装置５３は、片面粘着テープ１の進行方向と逆方向に切断面を設けた切断材（図示せず）で形成されている。切断装置５３によって、片面粘着テープ１は所定の幅のテープとなる。この後、片面粘着テープ１は軸Ｃを中心として巻き取られ、図面１に示された片面粘着テープ巻回体１０とされ、製造が完了する。
【００４１】
次に、図４、図５を参照して、本実施形態に係る片面粘着テープ巻回体を用いたテープ引き出し装置について説明する。なお、図４は、本実施形態に係る片面粘着テープ巻回体を貼付する際に使用されるテープ引き出し装置の概略斜視図、図５は、本実施形態に係る片面粘着テープ巻回体を貼付する際に使用されるテープ引き出し装置の概略側面図である。
【００４２】
このテープ引き出し装置６は、テープ引き出し装置本体６０と、テープ支持部６１と、折り曲げ手段６２と、非粘着部形成手段６３と、幅調節手段６４と、切断手段６５と、で構成されている。
【００４３】
テープ引き出し装置本体６０は、長辺及び短辺を有する長方形状の底部６０ａと、底部６０ａの各辺から垂直に立設された側壁部６０ｂと、側壁部６０ｂの上面に固定された上部カバー６０ｃとで形成された直方体形状である。上部カバー６０ｃには片面粘着テープ巻回体１０を収容するテープ収容部６０ｄが設けられており、テープ収容部６０ｄの側面には片面粘着テープを支持するテープ支持部６１が取り付けられている。
【００４４】
テープ支持部６１は、テープ巻回体１０の中心Ｃを通る回転軸６１ａと、回転軸６１ａを回転自在のまま支持する軸支持部６１ｂとで構成されている。
【００４５】
テープ引き出し装置６に収容された片面粘着テープ巻回体１０は、テープ支持部６１から送り出され、順に幅調節手段６４と、折り曲げ手段６２と、非粘着部形成手段６３と、切断手段６５とを通過して、外部に片面粘着テープ１が引き出される。
【００４６】
幅調節手段６４は、片面粘着テープ巻回体１０に設けられた切り込み部４の長さによって、後述する折り曲げ手段６２によって折り曲げられる幅を調節するものであり、幅決定手段６４ａ及び幅調節機構６４ｂとで構成されている。本実施形態に係るテープ引き出し装置６を使用する際、切り込み部４の長さを確認し、切り込み部４の長さの半分の長さで折り曲げられるよう、幅決定手段６４ａによって幅を決定する。
【００４７】
幅決定手段６４ａによって折り曲げ幅が決定されると、幅調節機構６４ｂによって、折り曲げ手段６２の折り曲げ幅が決定される。折り曲げ手段６２は、片面粘着テープ巻回体１０の切り込み部４が設けられた縁辺側に設けられており、引き出された片面粘着テープ１の切り込み部４が設けられた縁辺を、粘着面１２側が内側となるように垂直に折り曲げる。
【００４８】
折り曲げ手段６２によって切り込み部４が設けられた縁辺が折り曲げられると、非粘着部形成手段６３により、折り曲げられた部分の粘着材同士が貼りあわせられ、片面粘着テープ１の切り込み部が設けられた縁辺側に非粘着部１３が形成される。この後、切断手段６５により、片面粘着テープ１は切断され、所望の位置に貼付される。本発明の片面粘着テープ１は切り込み部４に力をかけることにより、容易に手で切断できるため、切断手段６５を用いずとも切断することは可能である。
【００４９】
以上、本実施形態で作製された片面粘着テープ巻回体を用いたテープ引き出し装置について説明したが、本実施形態で作製された片面粘着テープ巻回体ではなく、切り込み部を有しない片面粘着テープ巻回体を用い、テープ引き出し装置に切り込み部形成手段を設けたテープ引き出し装置を用いてもよい。
【００５０】
本実施形態に係る片面粘着テープ１を用いることで、野菜などを束ねるテープ、プラスチック容器の封止、ダンボール箱等の梱包などに用いられたテープを切断する際に、片面粘着テープの縁辺どこからでも剥がしやすく、かつカットしやすい片面粘着テープとすることができる。
【００５１】
[第２実施形態]
次に、図６を参照して、本発明の第２実施形態に係る片面粘着テープを説明する。なお、図６Ａは本発明の第２実施形態に係る片面粘着テープの展開図、図６Ｂは本発明の第２実施形態に係る片面粘着テープの概略平面図、図６Ｃは図６ＢにおけるVIＣ−VIＣ線での断面図、図６Ｄは図６ＢにおけるVIＤ−VIＤ線での断面図である。また、本実施形態について、第１実施形態と同様の構成については同じ符号を付し、説明を省略する。
【００５２】
本実施形態において、片面粘着テープ１Ａは、切断しやすいように設けられている切り込み部４Ａが非貫通である。片面粘着テープ１Ａを作製する際、基材２の厚みよりも短い切り込み部４Ａが設けられている。切り込み部４Ａを非貫通とすることにより、切断の容易性を維持したまま、片面粘着テープ１Ａの耐久性を増すことができる。このため、片面粘着テープを剥がす際に、力をかけるつもりのなかった切り込み部から片面粘着テープが裂けてしまうことがなくなり、貼付されている片面粘着テープ全体を、手で容易に剥がすことができるようになる。
【００５３】
[第３実施形態]
次に、図７を参照して、本発明の第３実施形態に係る片面粘着テープを説明する。なお、図７Ａは本発明の第３実施形態に係る片面粘着テープの展開図、図７Ｂは本発明の第３実施形態に係る片面粘着テープの概略平面図である。また、本実施形態について、第１実施形態と同様の構成については同じ符号を付し、説明を省略する。
【００５４】
本実施形態において、片面粘着テープ１Ｂは、縁辺２２Ｂの一方のみではなく両方に切り込み部４Ｂが設けられている。切り込み部４Ｂを縁辺２２Ｂの両方に設けることで、片面粘着テープ１Ｂのどちら側からでも手で容易にカットすることができるようになる。
【００５５】
[第４実施形態]
次に、図８を参照して、本発明の第４実施形態に係る片面粘着テープを説明する。なお、図８Ａは本発明の第４実施形態に係る片面粘着テープの展開図、図８Ｂは本発明の第４実施形態に係る片面粘着テープの概略平面図、図８Ｃは図８ＢにおけるVIIIＣ−VIIIＣ線での断面図である。また、本実施形態について、第１実施形態と同様の構成については同じ符号を付し、説明を省略する。
【００５６】
本実施形態において、片面粘着テープ１Ｃは、切り込み部４Ｃの中央部分に非貫通部４１が設けられ、第１切り込み部４Ｃ１及び第２切り込み部４Ｃ２が形成されている。本実施形態の片面粘着テープ１Ｃを折り曲げると、第１切り込み部４Ｃ１及び第２切り込み部４Ｃ２とが重なり、片面粘着テープ１Ｃの端辺には非貫通部４１があらわれる。切り込み部４Ｃが片面粘着テープ１Ｃの端辺まで到達していないので、切断の容易性を維持したまま、片面粘着テープ１Ａの耐久性を増すことができる。このため、片面粘着テープ１Ｃを剥がす際に、力をかけるつもりのなかった切り込み部から片面粘着テープが裂けてしまうことがなくなり、貼付されている片面粘着テープ全体を、手で容易に剥がすことができるようになる。
【符号の説明】
【００５７】
１  片面粘着テープ
１０  片面粘着テープ巻回体
１１  非粘着面
１２  粘着面
１３  非粘着部
２  基材
２１  短辺
２２  縁辺
３  粘着材
４  切り込み部
５  製造装置
５１  粘着面形成装置
５２  切り込み部形成装置
５３  切断装置
６  テープ引き出し装置
６１  テープ支持部
６２  折り曲げ手段
６３  非粘着部形成手段
６４  幅調節手段
６５  切断手段
【図１】
2014077026.tif 000003
【図２】
2014077026.tif 000004
【図３】
2014077026.tif 000005
【図４】
2014077026.tif 000006
【図５】
2014077026.tif 000007
【図６】
2014077026.tif 000008
【図７】
2014077026.tif 000009
【図８】
2014077026.tif 000010